(57)【要約】【課題】分析対象を配置した分析用ディスクのスキャン動作において、安定したスキャン動作を実現した分析装置を提供できる。【解決手段】分析対象を配置したディスク１０をトレースし、ディスク１０からの反射光もしくは透過光をＰｈｏｔｏ  Ｄｅｔｅｃｔｏｒ１６で検出するスキャン動作において、スキャン動作中は、トラバースモータ１５による移動動作を行わないようにすることで、スキャン動作中における安定したデータ取得を可能とする。【選択図】  図１
2004271332.tif 000002
【特許請求の範囲】
【請求項１】
回転可能な光ディスクの表面及び内部に分析対象を配置した分析用ディスクと、前記分析用ディスクに設けられたトラックに追従するようにトラッキング制御手段及びトラバース制御手段を有し、光ピックアップから照射された光ビームの反射光及び透過光を光検出器で検出することにより前記分析対象をスキャン分析する分析装置において、前記分析対象がスキャン中であるかどうかを判断するスキャン判断手段を備え、前記分析対象をスキャンする際に、分析対象をスキャン中であればトラバース移動を停止し、スキャン中以外においてトラバース移動を行うように制御することを特徴とする分析装置。
【請求項２】
請求項１記載の分析装置において、前記分析用ディスクに、スキャン開始位置とスキャン終了位置に対応するマーキングを設け、前記マーキングを検出するフォトセンサを有し、前記スキャン開始位置からスキャン終了位置までをスキャンエリアとし、前記スキャンエリアにおいてトラバース移動を停止することを特徴とする分析装置。
【請求項３】
請求項２記載の分析装置において、光ピックアップのレンズの変位を検出する検出手段と、前記レンズの変位量を測定する測定手段を有し、前記分析対象のスキャン中において、光ピックアップが前記スキャンエリアのスキャン開始位置からスキャン終了位置までのトラバース停止区間のレンズの変位量と、前記スキャンエリア以外のトラバース移動区間中に測定しているレンズの変位量との合計が所定の変位量を超えた場合、前記トラバース制御区間で、トラバースを所定量移動させることを特徴とする分析装置。
【請求項４】
請求項３記載の分析装置において、前記光ピックアップからの出力を用いてレンズの変位量を検出するレンズエラー信号を用いて、物理的なレンズの移動量を算出する手段を備え、前記算出されたレンズの移動量だけトラバースを移動させるように制御することを特徴とする分析装置
【請求項５】
請求項３記載の分析装置において、前記トラバース移動区間開始時から終了時までのレンズの変位量を算出し、前記トラバース移動区間開始時に測定したレンズの変位量と前記算出したレンズの変位量の合計が、所定の変位量を超えるようであれば、前記トラバース移動区間開始時にトラバースを所定量移動させることを特徴とする分析装置。
【発明の詳細な説明】
【０００１】
【発明の属する技術分野】
本発明は、光ディスクの表面及び内部に分析対象を配置した分析用ディスクを用い、その分析対象をトレースして、分析対象をスキャン分析する分析装置に関するものである。
【０００２】
【従来の技術】
オーディオまたはビデオが記録されたコンパクトディスクとこれを再生する光ディスクドライブの再生機能を用いて、分析対象が配置された光ディスクのトラック上をトレースして、分析対象を分析する装置がある（例えば特許文献１参照。）。
【０００３】
まず、分析用ディスク１００について図６を用いて簡単に説明する。分析用ディスク１００上には分析対象１０１を分析する分析エリア１０２が配置されており、この分析エリア１０２をスキャンするためのスキャン開始を示すマーキング１０３が設けられている。
【０００４】
また、分析用ディスクは、オーディオまたはビデオが記録された従来の光ディスクの規格に沿って形成されているため、従来の光ディスクにおけるピット、グルーブなどで形成されるアドレス情報としての時間情報などを有している。
【０００５】
ここで、分析用ディスク１００のトラックをトレース時における光ピックアップのレンズの位置制御について図７を用いて説明する。２０１は光ピックアップ、２０２は対物レンズ、２０３は対物レンズをディスク方向に移動させるフォーカスアクチュエータ、２０４はディスク半径方向に移動させるトラッキングアクチュエータ、２０５は光ピックアップをディスク２００の半径方向に移動させるトラバースモータからなり、光ピックアップ２０１の出力からトラッキングエラー信号を生成し、この信号を元にレンズの位置制御を行う。
【０００６】
レンズの位置制御は、レンズを移動させるトラッキングアクチュエータ２０４とレンズを含んだ光ピックアップ全体を移動させるトラバースモータ２０５があり、トラッキングエラー信号を元にトラッキングアクチュエータ２０４でレンズを移動させるトラッキング制御、さらにレンズの移動量が所定の範囲を超えるとトラバースモータ２０５を移動させるトラバース制御を行うことで実現する。
【０００７】
このようにして、レンズの位置制御を行いながら分析用ディスク１００のトラックをトレースし、その時の分析用ディスク１００からの反射光もしくは透過光をＰｈｏｔｏ  Ｄｅｔｅｃｔｏｒ２０６（以下ＰＤとする）で検出し、その検出信号を基に信号処理回路２０７によって分析用ディスク１００からの取得データとして生成し、その取得データを元に分析対象の分析を行うスキャン動作が可能となる。
【０００８】
また、スキャン開始のタイミングは、分析用ディスクに設けられたマーキング１０３を検出するために分析装置にはフォトセンサ２０８が設けられており、この信号を元にスキャン動作を開始する。
【０００９】
【特許文献１】
特表平１０‐５０４３９７号公報
【００１０】
【発明が解決しようとする課題】
従来の分析装置において、分析用ディスクに配置された分析対象をスキャン中は分析用ディスクのトラックをトレースした状態で行うが、トレース状態における光ピックアップのレンズ位置制御は、トラッキングエラー信号を元にレンズを移動させ、レンズの移動量を元に光ピックアップを移動させる。このためレンズの移動動作は、トレース状態においてディスクのどの位置で発生するかは不規則であり、もちろんスキャン中もレンズの移動動作が発生する可能性がある。レンズの移動動作において、特にレンズの移動量を元に光ピックアップを移動させるトラバース移動は、レンズの位置状態の変化に影響を与えるため、分析対象をスキャン中にトラバース移動が発生するのは、分析装置のスキャン動作にとって望ましいものではない。
【００１１】
【課題を解決するための手段】
前記課題を解決する為に、本発明の分析装置は、スキャン動作中において、光ピックアップのレンズの位置状態を変化させるトラバースモータによる移動動作を行わないようにする。こうすることで、スキャン動作中はレンズの位置状態が変化することがなくなり、レンズを安定した状態に保つことが可能となり、スキャン動作時における安定したデータ取得及び複数回同じスキャン動作を繰り返す時のスキャン動作状態の変化を少なくすることができる。
【００１２】
【発明の実施の形態】
本発明の請求項１に記載の分析装置は、回転可能な光ディスクの表面及び内部に分析対象を配置した分析用ディスクと、前記分析用ディスクに設けられたトラックに追従するようにトラッキング制御手段及びトラバース制御手段を有し、光ピックアップから照射された光ビームの反射光及び透過光を光検出器で検出することにより前記分析対象をスキャン分析する分析装置において、前記分析対象がスキャン中であるかどうかを判断するスキャン判断手段を備え、前記分析対象をスキャンする際に、分析対象をスキャン中であればトラバース移動を停止し、スキャン中以外においてトラバース移動を行うように制御することを特徴とするものであり、分析対象をスキャン中に、光ピックアップのレンズを安定した状態に保ち、分析対象の安定したデータ取得及び複数回同じスキャン動作を繰り返す時のスキャン動作状態の変化を少なくすることができる。
【００１３】
次に本発明の請求項２に記載の分析装置は、請求項１記載の分析装置において、前記分析用ディスクに、スキャン開始位置とスキャン終了位置に対応するマーキングを設け、前記マーキングを検出するフォトセンサを有し、前記スキャン開始位置からスキャン終了位置までをスキャンエリアとし、前記スキャンエリアにおいてトラバース移動を停止することを特徴とするものであり、分析用ディスクにおけるスキャンエリアが明確になることで、スキャン開始から終了までのトラバース停止区間を確実に認識し、スキャン時において安定したトレース状態を確保することができる。
【００１４】
次に本発明の請求項３に記載の分析装置は、請求項２記載の分析装置において、光ピックアップのレンズの変位を検出する検出手段と、前記レンズの変位量を測定する測定手段を有し、前記分析対象のスキャン中において、光ピックアップが前記スキャンエリアのスキャン開始位置からスキャン終了位置までのトラバース停止区間のレンズの変位量と、前記スキャンエリア以外のトラバース移動区間中に測定しているレンズの変位量との合計が所定の変位量を超えた場合、前記トラバース制御区間で、トラバースを所定量移動させることを特徴とするものであり、配置された分析対象を分析するエリアが多く、トラバース停止区間が増えてしまう場合でも、光ピックアップのレンズを安定した状態に保ち、分析対象の安定したデータ取得を可能とする。
【００１５】
次に本発明の請求項４に記載の分析装置は、請求項３記載の分析装置において、前記光ピックアップからの出力を用いてレンズの変位量を検出するレンズエラー信号を用いて、物理的なレンズの移動量を算出する手段を備え、前記算出されたレンズの移動量だけトラバースを移動させるように制御することを特徴とするものであり、レンズの移動量だけ正確にトラバース移動を行うことで、光ピックアップのレンズを安定した状態に保つことが可能となり、スキャン動作の安定性を確保することができる。
【００１６】
次に本発明の請求項５に記載の分析装置は、請求項３記載の分析装置において、前記トラバース移動区間開始時から終了時までのレンズの変位量を算出し、前記トラバース移動区間開始時に測定したレンズの変位量と前記算出したレンズの変位量の合計が、所定の変位量を超えるようであれば、前記トラバース移動区間開始時にトラバースを所定量移動させることを特徴とするものであり、トラバース移動区間内にトラバース移動が完了できない状態をなくすことで、スキャン中における光ピックアップのレンズを安定した状態に保つことが可能となり、スキャン動作の安定性を確保することができる。
【００１７】
（実施の形態１）
本発明の請求項１及び請求項２に記載された発明の実施の形態１について、図１、図２及び図３を用いて説明する。
【００１８】
図１は、分析装置を示す構成図であり、図２は、スキャン中における分析装置の処理の流れについて示す図であり、図３は、分析用ディスクについて示す図である。
【００１９】
ディスク１０のトラックをトレース時における光ピックアップのレンズの位置制御について、図１を用いて説明する。１１は光ピックアップ、１２は対物レンズ、１３は対物レンズをディスク方向に移動させるフォーカスアクチュエータ、１４はディスク半径方向に移動させるトラッキングアクチュエータ、１５は光ピックアップをディスク１０の半径方向に移動させるトラバースモータからなり、光ピックアップ１１の出力からトラッキングエラー信号を生成し、この信号を元にレンズの位置制御を行う。
【００２０】
レンズの位置制御は、レンズを移動させるトラッキングアクチュエータ１４とレンズを含んだ光ピックアップ全体を移動させるトラバースモータ１５があり、トラッキングエラー信号を元にトラッキングアクチュエータ１４でレンズを移動させるトラッキング制御、さらにレンズの移動量が所定の範囲を超えるとトラバースモータ１５を移動させるトラバース制御を行うことで実現する。
【００２１】
このようにして、レンズの位置制御を行いながらディスク１０のトラックをトレースし、その時のディスク１０からの反射光もしくは透過光をＰｈｏｔｏ  Ｄｅｔｅｃｔｏｒ１６（以下ＰＤとする）で検出し、その検出信号を基に信号処理回路１７によってディスク１０からの取得データとして生成し、その取得データを元に分析対象の分析を行うスキャン動作が可能となる。
【００２２】
ここで、スキャン中における分析装置の処理は、図２のような流れの処理を行っている。
【００２３】
まず、スキャン処理開始（Ｓ１０）時より、トラックのトレース動作を開始（Ｓ１１）し、ディスク１０の分析を行うエリアにおいて、ディスク１０からの反射光もしくは透過光をデータとして取得するスキャン動作を行う。
【００２４】
ここで、スキャン処理中において、スキャン動作を行っていれば（Ｓ１２）、光ピックアップのレンズの位置状態を変化させるトラバースモータによる移動を停止（Ｓ１３）させ、トラバース移動動作は、スキャン動作を行っていない時に実行（Ｓ１４）するようにする。
【００２５】
こうすることで、スキャン動作中における光ピックアップのレンズの位置状態が変化することがなくなり、レンズを安定した状態に保つことが可能となり、スキャン動作時における安定したデータ取得が可能となる。
【００２６】
また、レンズの移動量を元に行うトラバース移動動作は、トレース状態においてディスクのどの位置で発生するか不規則であるが、スキャン動作中はこのトラバース移動を停止させることで、複数回同じスキャン動作を繰り返す場合においてもレンズの状態を毎回ほぼ同じ状態でスキャンすることが可能となり、スキャン動作を繰り返してもスキャン動作状態を変えることなくデータ取得が可能となる。
【００２７】
また、図３に示す分析用ディスクにおいて、分析用ディスクにスキャン開始位置とスキャン終了位置に対応するマーキング２３、２４を設けることで、分析用ディスクのスキャンエリアを明確にする。
【００２８】
こうすることで、スキャン動作時に、このマーキング２３、２４をフォトセンサ１８で検出し、スキャン開始から終了までのトラバース停止区間を確実に認識することで、スキャン時において安定したトレース状態を確保することができる。
【００２９】
また、分析装置に分析用ディスク２０以外のディスクが装着された場合は、分析装置においてディスク判別を行い、スキャン動作を行わないオーディオまたはビデオが記録された従来の光ディスクであれば、通常のトレース動作であるレンズの移動量を元に行うトラバース移動動作を行うことで、分析用ディスク以外のディスクにおいても、安定した動作を保証することができる。
【００３０】
（実施の形態２）
本発明の請求項３及び請求項４及び請求項５に記載された発明の実施の形態２について、図４と図５を用いて説明する。
【００３１】
図４は、分析用ディスクについて示す図であり、図５は、スキャン中における分析装置の処理の流れについて示す図である。
【００３２】
なお、前述した実施の形態と同じである分析装置の構成に関する説明は省く。
【００３３】
図４に示す分析用ディスクのように、スキャン対象を何箇所か配置することが可能なスキャンエリア（図４に示す▲１▼〜▲６▼）が存在する場合、配置されたスキャンエリアを一度に複数スキャンする場合が考えられる。
【００３４】
ここで、図４の▲１▼〜▲３▼をトラバース移動区間（つまり、スキャン対象エリア外）、▲４▼〜▲６▼をトラバース停止区間（つまり、スキャン対象エリア）とする場合のスキャン中における分析装置の処理について、図５を用いて説明する。
【００３５】
まず、スキャン処理開始（Ｓ２０）時より、トラックのトレース動作を開始（Ｓ２１）し、分析用ディスクのスキャン対象エリア（▲４▼〜▲６▼）において、分析用ディスクからの反射光もしくは透過光をデータとして取得するスキャン動作を行う。
【００３６】
ここで、スキャン処理中において、スキャン対象エリアを通過開始時（Ｓ２４、３０）にレンズの変位量を測定（Ｓ２５）し、そのレンズの変位量を記憶する（Ｓ２６）。スキャン対象エリアを通過中は光ピックアップのレンズの位置状態を変化させるトラバースモータによる移動を停止（Ｓ２３）させる。スキャン対象エリア（▲４▼〜▲６▼）を通過終了時（Ｓ２８、３１）において再びレンズの変位量を測定（Ｓ２７）及び記憶し（Ｓ２９）、スキャン対象エリア（▲４▼〜▲６▼）開始時と終了時の記憶されたレンズ変位量を元にスキャン対象エリア（▲４▼〜▲６▼）でのレンズの変位量を算出する（Ｓ３０）。スキャン対象エリア外においてトラバース移動動作を行うが、この時、算出されたスキャン対象エリア（▲４▼〜▲６▼）でのレンズの変位量と現状のレンズの変位量を加算し、この値が所定の閾値を超えるようであれば（Ｓ３１）、トラバース移動動作を行う（Ｓ３２）。
【００３７】
こうすることで、スキャン対象エリア通過中にレンズの移動範囲の限界に達してトラバース移動が必要になることを防ぐことが可能となり、特に一度にスキャンエリアを複数スキャンする場合などのスキャン処理中のトラバース停止区間が多い場合において、レンズを安定した状態に保ち、スキャン動作時における安定したデータ取得が可能となる。
【００３８】
また、光ピックアップの出力から生成されるレンズの変位量を示すレンズエラー信号の変化量を例えばトラック本数に置き換えることにより、レンズの移動距離を求め、この移動距離に応じてトラバース移動を行うようにする。
【００３９】
こうすることで、レンズの移動量だけ正確にトラバース移動を行うことが可能となり、例えば、トラバース停止区間に移動したレンズの移動量分だけトラバース移動させることなどが可能となり、光ピックアップのレンズを安定した状態に保ち、スキャン動作の安定性を確保することができる。
【００４０】
また、スキャン対象エリア（▲４▼〜▲６▼）でのレンズの変位量を算出するのと同様にスキャン処理中におけるスキャン対象エリア外（▲１▼〜▲３▼）にあたるトラバース移動区間のレンズの変位量を算出しておき、トラバース移動区間開始時に現状のレンズ変位量と算出したトラバース移動区間（▲１▼〜▲３▼）のレンズの変位量を加算した値が所定の閾値を超えるようであれば、あらかじめトラバース移動区間開始時にトラバース移動動作を行う。
【００４１】
ここで、前述のトラバース移動動作について図４を用いて、説明する。図４の▲１▼〜▲３▼をトラバース移動区間（つまり、スキャン対象エリア外）、▲４▼〜▲６▼をトラバース停止区間（つまり、スキャン対象エリア）とすると、トラバース移動区間開始時３２から終了時３３までのレンズの変位量を測定及び記憶しておき、トラバース移動区間開始時３２において、現状のレンズの変位量と記憶したトラバース移動区間のレンズの変位量を加算した値が所定の閾値を超えているようであれば、トラバース移動区間開始時３２にあらかじめトラバース移動を行うようにする。
【００４２】
こうすることで、トラバース移動区間終了３３直前にトラバース移動動作が実行されることをなくすことで、トラバース移動区間内（▲１▼〜▲３▼）でトラバース移動が完了できない状態がなくなり、スキャン中における光ピックアップのレンズを安定した状態に保つことが可能となり、スキャン動作の安定性を確保することができる。
【００４３】
【発明の効果】
以上のように、本発明の分析装置によれば、分析対象をスキャン中において、光ピックアップのレンズの位置状態を変化させるトラバースモータによる移動動作を行わないようにすることで、スキャン中は、レンズの位置状態が変化することがなくなり、レンズを安定した状態に保つことが可能となる。こうすることで、スキャン中における安定したデータ取得及び複数回同じスキャン動作を繰り返す時のスキャン動作状態の変化を少なくすることが可能となり、安定したスキャン動作を実現した分析装置を提供できる。
【図面の簡単な説明】
【図１】本発明の実施の形態１における分析装置の構成を示す図
【図２】本発明の実施の形態１におけるスキャン中の分析装置の処理を説明するフローチャート
【図３】本発明の実施の形態１における分析用ディスクを示す図
【図４】本発明の実施の形態２における分析用ディスクを示す図
【図５】本発明の実施の形態２におけるスキャン中の分析装置の処理を説明するフローチャート
【図６】従来の発明における分析用ディスクを示す図
【図７】従来の発明における分析装置の構成を示す図
【符号の説明】
１０、２００  ディスク
２０、１００  分析用ディスク
２１、１０１  分析対象
２２、１０２  分析エリア
２３、２４、１０３  マーキング
１１、２０１  光ピックアップ
１２、２０２  対物レンズ
１３、２０３  フォーカスアクチュエータ
１４、２０４  トラッキングアクチュエータ
１５、２０５  トラバースモータ
１６、２０６  Ｐｈｏｔｏ  Ｄｅｔｅｃｔｏｒ
１７、２０７  信号処理回路
１８、２０８  フォトセンサ
３０  スキャン対象エリアを通過開始
３１  スキャン対象エリアを通過終了
３２  トラバース移動区間開始
３３  トラバース移動区間終了
【図１】
2004271332.tif 000003
【図２】
2004271332.tif 000004
【図３】
2004271332.tif 000005
【図４】
2004271332.tif 000006
【図５】
2004271332.tif 000007
【図６】
2004271332.tif 000008
【図７】
2004271332.tif 000009